(57)【特許請求の範囲】
【請求項１】
第１の入力端と、第２の入力端と、加算手段（ＭＸ１）と、ミュート手段（Ｃ５）と、サブアウトと、制御部（ＣＮＴ）とを備え、サブアウトに接続された外部機器を制御するカラオケ装置であって、
第１の入力端には、ライン音声信号が入力され、
第２の入力端には、カラオケ再生音信号が入力され、
加算手段（ＭＸ１）は、第１の入力端と第２の入力端からの信号を加算して出力し、
ミュート手段（Ｃ５）は、加算手段（ＭＸ１）からの信号を制御手段（ＣＮＴ）の制御に従ってサブアウトに出力するか否かを切り換え、
制御手段（ＣＮＴ）は、第２の入力端からカラオケ再生音信号が入力されているとき、ミュート手段（Ｃ５）を、加算手段からの信号をサブアウトに出力すべく制御し、第２の入力端からカラオケ再生音信号が入力されていないとき、ミュート手段（Ｃ５）を、加算手段からの信号をサブアウトに出力しないように制御する
カラオケ装置。
【発明の詳細な説明】
【０００１】
【発明の属する技術分野】
この発明は、出力端子の機能をプログラマブルに設定することのできるカラオケ装置に関する。
【０００２】
【従来の技術】
カラオケ装置には、通常、カラオケ再生音出力信号とマイクロフォン出力信号を合成した信号を出力する音声出力端子を標準的に備えており、この他に、用途に応じてマイクロフォン出力信号のみを出力するマイクモニター用出力端子、エコーのかからないマイクロフォン出力信号のみを出力するマイクアンプ入力用端子、カラオケ再生音出力信号のみを出力する曲モニター用端子等が設けられている。
【０００３】
【発明が解決しようとする課題】
しかし、標準端子に加えて各用途に応じるための上記の各出力端子を設けても、そのうちの１つの出力端子しか使用しないことが普通であるため、この場合には他の出力端子が無駄となる不都合があった。また、用途によってはこれ以外の出力端子が要求されることがあり、その場合にはそのための出力端子を別途設ける必要があった。このため、従来のカラオケ装置では、無駄な出力端子を備える分だけ高コストとなり、且つ、多様な要求に応えることができないという不都合があった。
【０００４】
また、従来のカラオケ装置では、カラオケ再生音信号やマイクロフォン信号等、リソースからの信号を固定的に出力端子に流すだけであって、それらの信号を動的に制御するものではなかった。このため、出力端子の機能に限界があり、多様な周辺機器に接続したいという要求に対し、応用範囲が狭いという不都合があった。
【０００５】
この発明の目的は、１つの出力端子で、用途に応じた最適な信号を出力できるようにするとともに、その出力端子の信号を動的に制御可能なカラオケ装置を提供することにある。
【０００６】
【課題を解決するための手段】
この発明は、第１の入力端と、第２の入力端と、加算手段（ＭＸ１）と、ミュート手段（Ｃ５）と、サブアウトと、制御部（ＣＮＴ）とを備え、サブアウトに接続された外部機器を制御するカラオケ装置であって、第１の入力端には、ライン音声信号が入力され、第２の入力端には、カラオケ再生音信号が入力され、加算手段（ＭＸ１）は、第１の入力端と第２の入力端からの信号を加算して出力し、ミュート手段（Ｃ５）は、加算手段（ＭＸ１）からの信号を制御手段（ＣＮＴ）の制御に従ってサブアウトに出力するか否かを切り換え、制御手段（ＣＮＴ）は、第２の入力端からカラオケ再生音信号が入力されているとき、ミュート手段（Ｃ５）を、加算手段からの信号をサブアウトに出力すべく制御し、第２の入力端からカラオケ再生音信号が入力されていないとき、ミュート手段（Ｃ５）を、加算手段からの信号をサブアウトに出力しないように制御することを特徴とする。
【０００８】
この発明では、回路中に、カラオケ再生音信号に基づいて動的にミュート可能とする制御手段を設けているため、たとえば、外部機器として照明装置を接続することで、曲中ではカラオケ再生音のレベルに応じて照明の色や明るさを制御し、曲間では照明を落とすといった制御が出来るなど、接続出来る周辺機器の種類を多く出来、応用性に優れたものとなる。なお、ミュート回路は、出力端子までの回路の任意の箇所に接続可能であるが、出力端子直前に接続すれば、一つのミュート回路で良い利点がある。
【００１１】
【発明の実施の形態】
図１は、この発明の実施形態であるカラオケ装置の出力部の構成図である。  第１の選択回路ＳＥＬ１は、曲間音声信号、外部音声信号１〜３のいずれかを選択信号Ｓ１によって選択し、選択した信号をミュート回路Ｍ１に入力する。曲間音声信号とは、カラオケ再生音信号が入力されていない曲間において、スピーカーから出力する音声信号であり、例えば、コマーシャル音声信号、ＢＧＭ音声信号などがある。外部音声信号は、ユーザが任意に入力出来る信号である。
【００１２】
カラオケ再生部から入力されるカラオケ再生音信号ＴＧは、制御部ＣＮＴとミュート回路Ｍ２に入力する。各ミュート回路Ｍ１、Ｍ２は、制御部ＣＮＴから出力されるコントロール信号Ｃ１、Ｃ２によってオンまたはオフ制御される。Ｍｕｔｅオンで入力信号はカット（Ｍｕｔｅ）、Ｍｕｔｅオフでスルー(通過）となる。ミュート回路Ｍ１、Ｍ２の出力は合成回路ＭＸ１で合成され、さらにボリュームＶＲ１でレベル調整されて合成回路ＭＸ２、ＭＸ３および第２の選択回路ＳＥＬ２に入力する。
【００１３】
マイクロフォンからの信号は、エコー回路（エコー付加部）ＥＣと選択回路ＳＥＬ２に入力し、エコー回路ＥＣの出力(ウエット信号）はボリュームＶＲ２でレベル調整され、合成回路ＭＸ２、ＭＸ３および選択回路ＳＥＬ２に入力する。
【００１４】
上記合成回路ＭＸ２は、ボリュームＶＲ１の出力とボリュームＶＲ２の出力とを合成して、ミュート回路Ｍ３を介して音声出力端子Ｔ１に導かれる。同様に、合成回路ＭＸ３もボリュームＶＲ１の出力とボリュームＶＲ２の出力とを合成して、ミュート回路Ｍ４を介し録音出力端子Ｔ２に導かれる。また、選択回路ＳＥＬ２は、ボリュームＶＲ１の出力とボリュームＶＲ２の出力とマイクロフォンからの直接の出力（ドライ信号）との中から１つ以上の信号を選択信号Ｓ２に基づいて選択する。この選択回路ＳＥＬ２で選択された１つ以上の信号は合成回路ＭＸ４で合成され、ミュート回路Ｍ５を介してサブアウト端子Ｔ２に導かれる。
【００１５】
上記ミュート回路Ｍ３〜Ｍ５は、それぞれコントロール信号Ｃ３〜Ｃ５でオンまたはオフに制御され、入力信号はＭｕｔｅオンでカット（Ｍｕｔｅ）、Ｍｕｔｅオフでスルー(通過）となる。
【００１６】
上記の構成で、制御部ＣＮＴは、各選択回路、ミュート回路に対し選択信号、オン／オフのコントロール信号を出力する。後述のように、各値は、特定の入力画面で設定されたモードに従って行われる。また、各値のうち、コントロール信号Ｃ５は、後述のＭｕｓｉｃ（曲間Ｍｕｔｅ）モードが設定された場合に、動的にオン／オフ設定される。すなわち、このモードでは、選択回路ＳＥＬ２においてスイッチＳＷ１がオン状態となるが、制御部ＣＮＴはカラオケ再生音信号ＴＧが入力されない曲間においてコントロール信号Ｃ５をオン状態とする。これにより、ミュート回路Ｍ５は曲中で信号をスルーし、曲間で信号をＭｕｔｅする。他のモードでは、制御部ＣＮＴから出力される各信号や設定値は固定値のままである。
【００１７】
以上のように、サブアウト端子Ｔ３は、その機能をプログラマブルに設定することができるプログラマブル出力端子であり、その端子機能は表示画面上で特定の状態の時に設定することができる。
【００１８】
図２（Ａ）は、表示画面上でサブアウト端子Ｔ３の機能を設定する画面を示している。また、同図（Ｂ）は、各機能と制御内容との対応関係を示している。
【００１９】
この表示状態は、カラオケ装置をサービスマンモードに設定した時のものである。図示するように、サブアウト端子Ｔ３の機能は、モード１〜モード５のいずれかから選択される。モード１は、サブアウト端子Ｔ３を端子Ｔ１と同様の音声出力端子とするモードである。この場合の制御内容は、選択回路ＳＥＬ２のスイッチＳＷ１、ＳＷ２をオンする。モード２は、Ｍｕｓｉｃ（Ｍｕｔｅなし）モードであって、制御内容は選択回路ＳＥＬ２のスイッチＳＷ１をオンする。モード３は、Ｍｕｓｉｃ（曲間Ｍｕｔｅ）モードであって、選択回路ＳＥＬ２のスイッチＳＷ１をオンするとともに、上述のように曲間で信号Ｃ５をオンする。
【００２０】
モード４は、Ｍｉｃ  Ｗｅｔモードであり、選択回路ＳＥＬ２のスイッチＳＷ２をオンする。モード５は、Ｍｉｃ  Ｄｒｙモードであり、選択回路ＳＥＬ２のスイッチＳＷ３をオンする。モードの設定は、１〜５のいずれかをテンキー入力した後、「メモリ／セット」キーを押すことによって行われる。
【００２１】
なお、モード２では、スイッチＳＷ１がオンされるために、カラオケ再生音信号ＴＧに曲間音声信号や外部音声信号が合成されてサブアウト端子Ｔ３に出力され、曲間では選択回路ＳＥＬ１で選択されている曲間音声信号や外部音声信号等が出力される。モード３は、モード２と同様にＭｕｓｉｃ信号が出力されるが、カラオケ再生音が出力されない曲間においては、Ｍｕｔｅ回路Ｍ５がオンとなるためサブアウト端子Ｔ３には何も出力されなくなる。モード４では、スイッチＳＷ２がオンするために、マイクロフォン信号にエコーがかかった信号が出力される。モード５では、スイッチＳＷ３がオンされるために、マイクロフォンからの信号がそのまま出力される。
【００２２】
本実施形態では、サブアウト端子Ｔ３の機能を、上記モード１〜５のいずれかに設定できるようにしているが、さらに、選択回路ＳＥＬ２のスイッチＳＷ１、ＳＷ２をオンして、曲間でコントロール信号Ｃ５によりＭｕｔｅオンする等のモードを設定することも可能である。
【００２３】
図３は、上記モード３が設定された時の概略の動作を示すシーケンス図である。同図では、演奏系、予約系、ＭＡＩＮの３つのモジュールの動作を示している。まず、最初の状態はサブアウト端子Ｔ３がＭｕｔｅオンの状態であって、２曲を予約することによりカラオケ曲の予約１と予約２がキューイングされる。次に、演奏開始直前においてサブアウト端子Ｔ３がＭｕｔｅオフに設定され、予約１の曲の演奏開始が行われる。予約１の曲の演奏が終了すると、その直後にサブアウト端子Ｔ３がＭｕｔｅオン状態とされ、次の予約２の演奏開始を準備する。そして、サブアウト端子Ｔ３を、Ｍｕｔｅオフ状態に設定して予約２の曲の演奏を開始する。ユーザからの操作により途中で演奏が中止されると、演奏が終了し、サブアウト端子Ｔ３が、Ｍｕｔｅオン状態となる。
【００２４】
このようにして、モード３が設定されていると、曲間においてはサブアウト端子Ｔ３に出力信号が全く現れなくなる。これにより、たとえば、このサブアウト端子を信号レベルによって照明の色や明るさ等が制御される照明装置に接続しておくと、曲中においてのみカラオケ曲に応じた照明ランプの制御が行われ、曲間においては何も表示されなくなる制御を自動的に行うことができる。また、モード２に設定しておいて、サブアウト端子Ｔ３をたとえばカラオケ店の待合室のスピーカーに接続しておけば、曲中はカラオケ再生音、曲間はコマーシャルやその他の任意の音声を出力することができる。また、モード４を設定し、サブアウト端子Ｔ３をヘッドホンなどに接続しておけば、歌い手がヘッドホンからエコーのかかり具合等を聞くことができる。また、モード５を設定しておけば、サブアウト端子Ｔ３をエコー付加部や音色コントロール部等を備えたメインアンプに接続することにより、そのメインアンプによって任意の音色やエコーのかかり具合等を調整して出力できるようになる。
【００２５】
このように、１つのサブアウト端子で、種々の用途に応じた出力を供給できるため、無駄な出力端子を多数設ける必要がない。また、サブアウト端子の出力を、カラオケ再生音信号に基づいて動的にＭｕｔｅ可能としているために、カラオケ再生音信号に基づいて動作させ、且つ、曲間ＣＭ等他の信号に基づいて動作させたくない照明機器等を接続できるようになり、広範な用途に対応できるようになる。
【００２６】
【発明の効果】
この発明によれば、１つの出力端子で種々の用途に対応することができるため、無駄な出力端子を多数設ける必要がなく、カラオケ装置本体の低コスト化を図ることができる。また、出力端子からの出力をカラオケ再生用信号に基づいて動的にＭｕｔｅ可能とする制御部を設けたため、従来不可能であった用途に対応することができ、カラオケ装置の応用性を広げることができる。
【図面の簡単な説明】
【図１】この発明の実施形態であるカラオケ装置の出力部の概略構成図
【図２】（Ａ）、（Ｂ）は、それぞれ、サブアウト端子機能を設定する画面の表示例、モード毎の制御内容を示す図
【図３】特定のモードでの動作シーケンスを示す図
【図１】
0003886717.tif 000002
【図２】
0003886717.tif 000003
【図３】
0003886717.tif 000004